(57)【特許請求の範囲】
【請求項１】
所定の信号が光学的に表示される表示部と、
バックライトからの光を前記表示部に透写させるように前記表示部の一方面に対向して配置されるとともに、前記表示部の他方面が露出するように前記表示部の全周を囲うハウジング手段を備え、当該ハウジング手段に、少なくとも一つ以上の壁状の、又は複数の突出部が前記表示部の露出された他方面と交差する方向で構成されるバックライトユニットと、
前記バックライトユニットのハウジング手段の一部及び前記表示部の露出された他方面に近接配置され、前記突出部に係合されるように形成されたウィンドウ部材と、
前記ウィンドウ部材及び前記バックライトユニットのハウジング手段を相互に接着させるために前記ウィンドウ部材及び前記バックライトユニットのハウジング手段の間に具備される接着手段と、
前記ウィンドウ部材が挿入されるために所定の開口が形成され、前記開口周縁の一方に所定の段差が形成されて前記ウィンドウ部材がこれに連結されるように構成されたケース部と、
を含んでなることを特徴とするウィンドウ組立体が具備された表示素子。
【請求項２】
前記ウィンドウ部材の外周は、当該ウィンドウ部材に近接配置される前記バックライトユニットのハウジング手段の外周と一致することを特徴とする請求項１に記載のウィンドウ組立体が具備された表示素子。
【請求項３】
前記接着手段は、少なくとも前記ウィンドウ部材に近接配置される前記バックライトユニットの一方面を囲うように構成されることを特徴とする請求項１又は２に記載のウィンドウ組立体が具備された表示素子。
【請求項４】
前記接着手段は、前記ウィンドウ部材及び前記表示部の相互間をさらに接着させるように前記ウィンドウ部材及び前記表示部の間にさらに具備されることを特徴とする請求項１〜３の少なくとも１項に記載のウィンドウ組立体が具備された表示素子。
【請求項５】
前記接着手段は、前記表示部と前記ウィンドウ部材、及び前記バックライトユニットと前記ウィンドウ部材の各近接配置される面の少なくとも１つに設けられ、前記バックライトユニット及び前記ウィンドウ部材の少なくとも１つの外形寸法より小さいか同寸法であり、
前記ウィンドウ部材に対して前記表示部に所定の開口が形成されることを特徴とする請求項１〜４の少なくとも１項に記載のウィンドウ組立体が具備された表示素子。
【請求項６】
前記ウィンドウ部材、前記表示部及び前記バックライトユニットは長方形で構成され、
前記接着手段は、前記バックライトユニットと前記ウィンドウ部材の各近接配置される面上の最外側に沿って、当該接着手段の外周が前記バックライトユニット及び前記ウィンドウ部材の少なくとも１つの外形寸法に一致するように形成されるとともに、前記長方形の表示部及び前記ウィンドウ部材の少なくとも１つの対向する辺に対応して構成されることを特徴とする請求項１〜５の少なくとも１項に記載のウィンドウ組立体が具備された表示素子。
【請求項７】
前記接着手段は、前記バックライトユニットと前記ウィンドウ部材の各近接配置される面上の最外側に沿って、当該接着手段の外周が前記表示部及び前記ウィンドウ部材の少なくとも１つの外形寸法に一致するように形成されるとともに、当該接着手段の内側に前記表示部の一部が露出されるように所定の閉区間を成しつつ構成されることを特徴とする請求項１〜５の少なくとも１項に記載のウィンドウ組立体が具備された表示素子。
【請求項８】
前記ウィンドウ部材、前記表示部及び前記バックライトユニットは長方形で構成され、
前記接着手段は、前記バックライトユニットと前記ウィンドウ部材の各近接配置される面上の最外側に沿って、当該接着手段の外周が前記バックライトユニット及び前記ウィンドウ部材の少なくとも１つの外形寸法より小さく形成されるとともに、前記長方形の表示部及び前記ウィンドウ部材の少なくとも１つの対向する辺に対応して構成されることを特徴とする請求項１〜５の少なくとも１項に記載のウィンドウ組立体が具備された表示素子。
【請求項９】
前記接着手段は、前記バックライトユニットと前記ウィンドウ部材の各近接配置される面上の最外側に沿って、当該接着手段の外周が前記バックライトユニット及び前記ウィンドウ部材の少なくとも１つの外形寸法より小さく形成されるとともに、当該接着手段の内側に前記表示部の一部が露出されるように所定の閉区間を成しつつ構成されることを特徴とする請求項１〜５の少なくとも１項に記載のウィンドウ組立体が具備された表示素子。
【請求項１０】
前記ウィンドウ部材は、前記段差が形成された前記ケース部の前記開口に一致するように段差を有して形成されることを特徴とする請求項１〜９の少なくとも１項に記載のウィンドウ組立体が具備された表示素子。
【請求項１１】
前記バックライトユニットに具備された前記ハウジング手段の前記突出部は、前記ハウジング手段と一体型でなることを特徴とする請求項１〜１０の少なくとも１項に記載のウィンドウ組立体が具備された表示素子。
【請求項１２】
前記バックライトユニットに具備された前記ハウジング手段の前記突出部は、前記ハウジング手段と分離型でなることを特徴とする請求項１〜１０の少なくとも１項に記載のウィンドウ組立体が具備された表示素子。
【請求項１３】
前記バックライトユニットに具備された前記ハウジング手段の前記突出部は、前記ハウジング手段の前記ウィンドウ部材と近接配置される面上に具備されることを特徴とする請求項１〜１２の少なくとも１項に記載のウィンドウ組立体が具備された表示素子。
【請求項１４】
前記ウィンドウ部材は、前記ハウジング手段に具備された少なくとも一つ以上の前記所定の突出部に係合されるための沈降部が形成されてなることを特徴とする請求項１〜１３の少なくとも１項に記載のウィンドウ組立体が具備された表示素子。
【請求項１５】
前記バックライトユニットに具備された前記ハウジング手段の前記突出部は、前記ハウジング手段の前記ウィンドウ部材と近接配置される面に対してその最外周に接して具備されることを特徴とする請求項１〜１４の少なくとも１項に記載のウィンドウ組立体が具備された表示素子。
【請求項１６】
前記バックライトユニットに具備された前記ハウジング手段は、長方形で構成され、前記突出部は、前記バックライトユニットの少なくとも一つ以上の稜角に具備されることを特徴とする請求項１〜１５の少なくとも１項に記載のウィンドウ組立体が具備された表示素子。
【請求項１７】
前記表示部は、液晶表示装置用表示部であることを特徴とする請求項１〜１６の少なくとも１項に記載のウィンドウ組立体が具備された表示素子。
【請求項１８】
前記ウィンドウ部材は、少なくとも可視光領域の光を透過することができるように構成されることを特徴とする請求項１〜１７の少なくとも１項に記載のウィンドウ組立体が具備された表示素子。
【請求項１９】
請求項１〜１８の少なくとも１項に記載のウィンドウ組立体が具備された表示素子と、
前記表示素子に表示信号を入力するために入力信号を送り出すことができるように構成される入力部と、
前記入力部の入力信号及び前記表示素子の表示信号を制御する制御部と、
を含んでなることを特徴とする携帯用端末。
【発明の詳細な説明】
【技術分野】
【０００１】
本発明はウィンドウ組立体が具備された表示素子及びこれを含む携帯用端末に関し、より詳細には、薄型化と同時に組み立てが容易となり、耐衝撃性が増大されて接合空間を確保することにより、円滑な工程の遂行が可能であり、生産歩留まりをさらに増加させることができるウィンドウ組立体が具備された表示素子及びこれを含む携帯用端末に関する。
【背景技術】
【０００２】
一般に、携帯電話やＰＤＡなどの携帯用通信機器を含む複数の電子機器には、ディスプレイのための表示素子が提供され、このような表示素子としてＬＣＤが通常的に使われている。
【０００３】
このような表示素子のＬＣＤには、これを外部と遮断させて保護するためのウィンドウが設置され、電子機器のケース上にＬＣＤを外部に露出させるための開放部が形成され、前記開放部にウィンドウが結合されて表示装置用ウィンドウ組立体を成すことによって、ＬＣＤが外部に映される状態で保護される。
【０００４】
以下では、図面を参照して、携帯用端末の表示素子において用いられる従来のウィンドウ組立体を具体的に説明する。
【０００５】
図１は、従来の携帯用端末を示す外観斜視図であり、図２は図１の表示素子の一部を概略的に示す断面図である。
【０００６】
図１に示されるように、従来の携帯用端末１は、使用者が一定の信号を認識するように表示する表示素子部１００と、表示素子部１００に表示信号を入力させる入力部２００をその主要構成とし、図面上には図示されないが、入力部２００の入力信号及び表示素子部１００の表示信号を制御する制御部が含まれる。
【０００７】
このような従来の携帯用端末１の表示素子部１００は、図２を参照すれば、外形を構成するケース１１０と、このケース１１０に設置されるウィンドウ１３０及びこのウィンドウ１３０とケース１１０に実装されて携帯用端末１の内部に収納される表示部１５０及びバックライトユニット１７０を含んでなる。
【０００８】
ケース１１０は、携帯用端末１の外形を成す部材であり、その内部に内蔵される表示部１５０の画面を外部に見せるために所定の開口が形成され、その開口の周縁に沿って係止突起１１２が形成される。
【０００９】
ウィンドウ１３０は、ケース１１０の係止突起１１２に設置されるもので、ケース１１０内部に内蔵される表示部１５０を外部環境から保護するように構成される。
【００１０】
表示部１５０は、携帯用端末１の駆動によって表示信号を放射してこれを使用者が認識可能にするためのものであり、携帯用端末１の内部、すなわち、ケース１１０の内部に、ウィンドウ１３０に対応するように内臓されて構成される。
【００１１】
表示部１５０をケース１１０の内部に実装するにあたり、表示部１５０は、これに光を透写させるバックライトユニット１７０に収納され、このバックライトユニット１７０がテープ１９０によってケース１１０の内面に付着されて、バックライトユニット１７０に収納される表示部１５０が固定される。
【００１２】
このとき、ケース１１０の係止突起１１２に設置されるウィンドウ１３０と表示部１５０の間には、間隙ｇ１が発生し、この間隙ｇ１は、携帯用端末１の表示素子部１００の厚さｔ１を決める重要な要素になる。
【００１３】
したがって、携帯用端末１の薄型化においては、表示素子部１００の厚さｔ１を決めるこのような間隙ｇ１の減少がまず要求される。
【００１４】
また、前記のような構造では、外部に加えられる衝撃に対して耐衝撃性が低く、ケース１１０の内側にバックライトユニット１７０を接合するので、接合空間が充分に確保されず、工程が煩わしくなって歩留まりが落ちるという問題点がある。
【００１５】
一方、前記従来のウィンドウ組立体が具備された表示素子及びこれを含む携帯用端末に関する技術を記載した文献としては、下記特許文献１等がある。
【特許文献１】米国特開第２００３／００４０２８７Ａ１号公報
【発明の開示】
【発明が解決しようとする課題】
【００１６】
本発明は上記従来の問題点を解決するために考案された発明であり、その目的は、最終製品をさらに薄型化すると同時に、従来に比べて組み立てが容易となり製造時にコストを低減することができるウィンドウ組立体が具備された表示素子及びこれを含む携帯用端末を提供することである。
【００１７】
また、本発明の他の目的は、外部から加えられる衝撃に対して耐衝撃性を増加させることができ、接合空間を確保することで円滑な工程を遂行して量産を増大させることができるウィンドウ組立体が具備された表示素子及びこれを含む携帯用端末を提供することである。
【００１８】
また、ウィンドウ組立体製作時にウィンドウを効率よくガイドすることで、さらに円滑な工程が遂行されることが可能となり、これによる生産歩留まりをさらに増加させることができるウィンドウ組立体が具備された表示素子及びこれを含む携帯用端末を提供することである。
【課題を解決するための手段】
【００１９】
上述した目的を果たすために、本発明によるウィンドウ組立体が具備された表示素子は、所定の信号が光学的に表示される表示部と、バックライトからの光を前記表示部に透写させるように前記表示部の一方面に対向して配置されるとともに、前記表示部の他方面が露出するように前記表示部の全周を囲うハウジング手段を備え、当該ハウジング手段に、少なくとも一つ以上の壁状の、又は複数の突出部が前記表示部の露出された他方面と交差する方向で構成されるバックライトユニットと、前記バックライトユニットのハウジング手段の一部及び前記表示部の露出された他方面に近接配置され、前記突出部に係合されるように形成されたウィンドウ部材と、前記ウィンドウ部材及び前記バックライトユニットのハウジング手段を相互に接着させるために前記ウィンドウ部材及び前記バックライトユニットのハウジング手段の間に具備される接着手段と、前記ウィンドウ部材が挿入されるために所定の開口が形成され、前記開口周縁の一方に所定の段差が形成されて前記ウィンドウ部材がこれに連結されるように構成されたケース部と、を含んでなる。
【００２０】
ここで、前記ウィンドウ部材の外周は、ウィンドウ部材に近接配置される前記バックライトユニットのハウジング手段の外周と一致することが好ましい。
【００２１】
また、前記接着手段は、少なくとも前記ウィンドウ部材に近接配置される前記バックライトユニットの一方面を囲うように構成され、前記接着手段は、前記ウィンドウ部材及び前記表示部の相互間をさらに接着させるように前記ウィンドウ部材及び前記表示部の間にさらに具備することができる。
【００２２】
また、前記接着手段は、前記表示部と前記ウィンドウ部材、及び前記バックライトユニットと前記ウィンドウ部材の各近接配置される面に前記バックライトユニット及び／または前記ウィンドウ部材の外形寸法より小さいか同寸法であり、前記ウィンドウ部材に対して前記表示部に所定の開口が形成されるように構成される。
【００２３】
このとき、前記ウィンドウ部材、前記表示部及び前記バックライトユニットは、長方形で構成され、前記接着手段は、前記バックライトユニットと前記ウィンドウ部材の各近接配置される面上の最外側に沿って、当該接着手段の外周が前記バックライトユニット及び前記ウィンドウ部材の少なくとも１つの外形寸法に一致するように形成されるとともに、長方形の前記表示部及び前記ウィンドウ部材の少なくとも１つの対向する辺に対応して構成されることができる。前記接着手段は、前記バックライトユニットと前記ウィンドウ部材の各近接配置される面上の最外側に沿って、当該接着手段の外周が前記表示部及び前記ウィンドウ部材の少なくとも１つの外形寸法に一致するように形成されるとともに、当該接着手段の形成される内側に前記表示部の一部が露出されるように所定の閉区間を成しつつ構成されることも可能である。
【００２４】
また、前記ウィンドウ部材、前記表示部及び前記バックライトユニットは長方形で構成され、前記接着手段は前記バックライトユニットと前記ウィンドウ部材の各近接配置される面上の最外側に沿って、その外周が前記バックライトユニット及び前記ウィンドウ部材の少なくとも１つの外形寸法より小さく形成されるとともに、長方形の前記表示部及び前記ウィンドウ部材の少なくとも１つの対向する辺に対応して構成されることができる。前記接着手段は、前記バックライトユニットと前記ウィンドウ部材の各近接配置される面上の最外側に沿って、当該接着手段の外周が前記バックライトユニット及び前記ウィンドウ部材の少なくとも１つの外形寸法より小さく形成されるとともに、当該接着手段の内側に前記表示部の一部が露出されるように所定の閉区間を成しつつ構成されることも可能である。
【００２５】
また、前記ウィンドウ部材は、前記段差が形成された前記ケース部の前記開口に一致するように段差を有して形成されてなることもできる。
また、前記バックライトユニットに具備された前記ハウジング手段の前記突出部は、前記ハウジング手段と一体型または分離型でなる。
【００２６】
ここで、前記バックライトユニットに具備された前記ハウジング手段の前記突出部は、前記ハウジング手段の前記ウィンドウ部材と近接配置される面上に具備され、このとき、前記ウィンドウ部材は前記ハウジング手段に具備された少なくとも一つ以上の前記所定の突出部に係合されるための沈降部が形成されてなることが好ましい。
【００２７】
また別の構成として、前記バックライトユニットに具備された前記ハウジング手段の前記突出部は、前記ハウジング手段の前記ウィンドウ部材と近接配置される面に対してその最外周に接して具備されることも可能である。
【００２８】
ここで、前記バックライトユニットに具備された前記ハウジング手段は長方形で構成され、前記突出部は、前記バックライトユニットの少なくとも一つ以上の稜角に具備されることが好ましい。
【００２９】
このような構成で、前記表示部は、液晶表示装置用表示部であることも可能であり、前記ウィンドウ部材は、少なくとも可視光領域の光を透過することができるように構成される。
【００３０】
さらに、本発明によるウィンドウ組立体が具備された表示素子を含む携帯用端末は、ウィンドウ組立体が具備された表示素子と、前記表示素子に表示信号を入力するために入力信号を送り出すことができるように構成される入力部と、前記入力部の入力信号及び前記表示素子の表示信号を制御する制御部と、を含んでなる。
【発明の効果】
【００３１】
以上説明したように、本発明に係るウィンドウ組立体が具備された表示素子及びこれを含む携帯用端末によれば、最終製品をさらに薄型化すると同時に、従来に比べて組み立てが容易となるので、製造時にコストを低減することができる。
【００３２】
また、外部から加えられる衝撃に対して耐衝撃性を増加させることができ、接合空間を確保することで円滑な工程を遂行して量産を増大させることができる。
【００３３】
また、ウィンドウ組立体製作時にウィンドウを効率よくガイドすることで、さらに円滑な工程が遂行されることが可能となり、これによる生産歩留まりをさらに増加させることができる。
【発明を実施するための最良の形態】
【００３４】
以下、本発明の好ましい実施形態に係るウィンドウ組立体が具備された表示素子を添付された図面を参照して詳しく説明する。
【００３５】
図３ａないし図３ｄは、本発明の好ましい実施形態に係るウィンドウ組立体が具備された表示素子の他の多様な変形例を概略的に示す部分断面図、図４ａないし図４ｈは、本発明の好ましい実施形態に係るウィンドウ組立体が具備された表示素子で表示部及びバックライトユニット上に具備される接着手段の多様な変形例を概略的に示す部分平面図である。
【００３６】
本発明の好ましい実施形態に係るウィンドウ組立体が具備された表示素子７００は、所定の信号が光学的に表示される表示部７５０、表示部７５０に光を透写するために表示部７５０の一方面に提供され、表示部７５０に提供された一方面に対して表示部７５０の他方面が露出するように表示部７５０を一部囲むハウジング手段が具備され、前記ハウジング手段には、少なくとも一つ以上の所定の突出部７７２が、表示部７５０の露出された他方面と同方向で構成されるバックライトユニット７７０、バックライトユニット７７０の前記ハウジング手段の一部及び表示部７５０の露出された他方面に近接配置され、前記ハウジング手段に少なくとも一つ以上具備された所定の突出部７７２に係合されるように形成されたウィンドウ部材７３０、ウィンドウ部材７３０及びバックライトユニット７７０の前記ハウジング手段を相互に接着させるために、ウィンドウ部材７３０及びバックライトユニット７７０の前記ハウジング手段の間に具備される接着手段７９０、及びウィンドウ部材７３０が挿入されるために所定の開口が形成され、前記開口周縁の一方に所定の段差７１２が形成されてウィンドウ部材７３０がこれに連結されるケース部７１０と、を含んでなる。
【００３７】
図３ａないし図３ｄに示すように、ケース７１０には所定の開口が形成され、前記開口は使用者に表示画面を提供するように構成される。前記開口が形成されたケース７１０には、開口の周縁に沿って所定の段差７１２が形成され、この段差７１２は前記開口周縁に沿ってその全体に形成されることが好ましいが、前記開口周縁の少なくとも一部以上に形成されることも可能である。
【００３８】
この段差７１２は、ケース７１０の一方面に形成されることが好ましく、これにウィンドウ７３０が連結される。図面上には図示されないが、要求される特性によって、すなわち、ケース７１０に対して両面にウィンドウ７３０が必要な場合や、ケース７１０に形成された前記開口周縁の内面にホールを設け、ここにウィンドウ７３０を挿入固定する場合など、必要に応じて、段差７１２以外の他の形状とすることが可能である。この場合、ウィンドウ７３０が連結可能な構成であれば充分であり、さらに、この段差７１２はケース７１０に形成された前記開口の周縁上の全部または一部に形成可能であり、これも要求される特性による。
【００３９】
ウィンドウ７３０は少なくとも可視光線領域の光が透過されうる材料でなり、後述する表示部７５０から放出される表示信号がこれを通過して使用者に認識されうるように構成される。
【００４０】
表示部７５０は、ケース７１０内部に内蔵され、表示信号を放出してこれを使用者が認識するように、ケース７１０の前記開口及びウィンドウ７３０に対応して構成され、この表示部７５０は、液晶でなる液晶表示装置であってもよく、その他の用途として構成される表示手段であってもよい。
【００４１】
表示部７５０は、ウィンドウ７３０の他方面に一方面が近接配置されて成り、この表示部７５０は、さらに正確には、表示部７５０の外周が、これに近接配置されるウィンドウ７３０の外周より小さいか同じ大きさを持つ。
【００４２】
相互に近接配置される表示部７５０とウィンドウ７３０は、相互に同じ外周を持つ場合には、近接配置の際に各近接配置される面の外周が相互に正確に一致され、表示部７５０の外周がウィンドウ７３０の外周よりさらに小さい場合は、近接配置の際に各外周に対して表示部７５０とウィンドウ７３０の中心点が一致することが好ましい。
【００４３】
表示部７５０が表示信号を表示するために、表示部７５０には、さらに詳細には、表示部７５０がウィンドウ７３０に近接配置される面の他方面にバックライトユニット７７０が提供されて、表示部７５０に少なくとも可視光線領域の光を透写させる。ここで、この他方面とは、表示部７５０がウィンドウ７３０に近接配置される面の背面であることが好ましい。
【００４４】
このバックライトユニット７７０には、ハウジング手段が具備され、前記ハウジング手段として表示部７５０の外周面、すなわち、直方体でなる表示部７５０においてウィンドウ７３０に近接配置される一方面とバックライトユニット７７０が提供される他方面以外の４面が囲まれる。
【００４５】
バックライトユニット７７０に具備されるハウジング手段は、ウィンドウ７３０で表示部７５０が近接配置される面の近接する部位以外である余剰面に、少なくとも一面以上が近接配置されるように構成される。ここで、ウィンドウ７３０の余剰面は、表示部７５０のウィンドウ７３０と近接配置される面の外周が、ウィンドウ７３０の表示部７５０と近接配置される面の外周より小さな場合に、ウィンドウ７３０の表示部７５０が近接配置される面と同じ面になる。
【００４６】
好ましくは、表示部７５０のウィンドウ７３０と近接配置される面の外周が、ウィンドウ７３０の表示部７５０と近接配置される面の外周より小さく、表示部７５０がウィンドウ７３０に近接配置される面の近接する部位以外の余剰面の全部に、バックライトユニット７７０に具備されるハウジング手段が近接配置される。すなわち、ウィンドウ７３０が、表示部７５０と、バックライトユニット７７０である前記ハウジング手段と近接配置される面の面積は、表示部７５０がウィンドウ７３０と近接配置される面の面積と、バックライトユニット７７０である前記ハウジング手段がウィンドウ７３０と近接配置される面との合計と同一であり、相互に合致する。
【００４７】
バックライトユニット７７０に具備されるハウジング手段は、その要求される剛性及び機能によって多様な使用例が可能なので、本明細書の図面上では、これをバックライトユニット７７０と区分せずに図示する。
【００４８】
バックライトユニット７７０のハウジング手段によって囲まれる表示部７５０及びウィンドウ７３０が相互に近接配置されるときに、ウィンドウ７３０とバックライトユニット７７０のハウジング手段の間には、近接配置されるウィンドウ７３０及びバックライトユニット７７０のハウジング手段を相互に接着させるために接着手段が具備され、この接着手段はテープ７９０であるが、その他の同様の機能を有する他の部材であることも可能である。
【００４９】
ウィンドウ７３０及びバックライトユニット７７０の前記ハウジング手段の間に具備されるテープ７９０は、図４ａないし図４ｈに示されるように、バックライトユニット７７０のハウジング手段がウィンドウ７３０に近接配置される面に（図４ｅないし図４ｈ参照）、バックライトユニット７７０のハウジング手段の外形寸法より小さいか（図４ｆ、図４ｇ参照）同寸法で（図４ｅ、図４ｈ）形成されることができる。表示部７５０には、これに表示される表示信号がウィンドウ７３０及びケース７１０の前記開口を通過して使用者に感知されえるように、テープ７９０による所定の開型または閉型の開口が形成される。
【００５０】
この場合において、ウィンドウ７３０と表示部７５０の間には、間隙ｇ７が設けられ、この間隙ｇ７は、図２に示される従来の表示素子１００での間隙ｇ１よりさらに小さな値を持つことができる。
【００５１】
また、ウィンドウ７３０及びバックライトユニット７７０のハウジング手段の間に具備されるテープ７９０は、バックライトユニット７７０のハウジング手段がウィンドウ７３０に近接配置される面と、表示部７５０がウィンドウ７３０に近接配置される面にわたって（図４ａないし図４ｄ参照）、バックライトユニット７７０の前記ハウジング手段の外形寸法より小さいか（図４ａ、図４ｂ参照）同寸法で（図４ｃ、図４ｄ参照）形成されることが可能である。表示部７５０には、これに表示される表示信号がウィンドウ７３０及びケース７１０の前記開口を通過して使用者に感知されえるように、テープ７９０による所定の開型または閉型の開口が形成される。
【００５２】
この場合において、ウィンドウ７３０と表示部７５０の間には間隙ｇ７’が設けられ、この間隙ｇ７’は、図２に示される従来の表示素子１００での間隙ｇ１よりさらに小さい値を持つことができ、このとき、この間隙ｇ７’は、表示部７５０及びウィンドウ７３０の間に挿入されて構成されるテープ７９０の厚さによって、上述された間隙ｇ７よりさらに大きい値を持つこととなるが、表示素子７００の剛性を考慮する場合にはこのような間隙ｇ７’を持つ構造がさらに好ましいと言える。
【００５３】
通常、長方形で構成されるウィンドウ７３０、表示部７５０及びバックライトユニット７７０のハウジング手段において、テープ７９０は、バックライトユニット７７０のハウジング手段とウィンドウ７３０の間、またはバックライトユニット７７０のハウジング手段及び表示部７５０とウィンドウ７３０の間の、各近接配置される面上の最外側に設けられる（図４ｃ、図４ｄ、図４ｅ及び図４ｈ参照）。すなわち、テープ７９０の外周がバックライトユニット７７０のハウジング手段及び／またはウィンドウ７３０の外形寸法に一致するように形成され、図４ｃ及び図４ｈのように、長方形でなる表示部７５０の対向される辺に対応して構成することもできる。また、図４ｄ、図４ｅ及び図４ｈのように、テープ７９０を、長方形でなるバックライトユニット７７０のハウジング手段の外周に沿って所定の閉区間を成しながら設けることもでき、このようなテープ７９０の構成は、図４ｂ及び図４ｇのように、テープ７９０がバックライトユニット７７０の前記ハウジング手段の外形寸法より小さい場合にも可能である。
【００５４】
上述されたようなウィンドウ７３０は、このような構成以外にも、図３ｃ及び図３ｄに示されるように、ケース７１０に形成された段差７１２に一致するように段差７３２を設けてケース７１０の前記開口を充填するように構成することもできる。
【００５５】
このとき、ケース７１０は内向段差７１２を備えることができ、図面上では図示されないが、外向段差７１２を備えることもできる。それぞれの変形例による段差７１２には、ウィンドウ７３０が接し、ウィンドウ７３０は、段差７１２に一致する形状でケース７１０の前記開口を充填できるように段差７３２が備えられることもかのうである。ケース７１０の段差７１２は、図面上に図示されるような段差７１２以外に、さらに複雑化された段差７１２でもよく、このとき、ウィンドウ７３０の段差７３２もまたこれに一致するように複雑化されえる。
【００５６】
テープ７９０は、図３ｂ及び図３ｄに示されるように、表示部７５０とウィンドウ７３０の間にさらに具備されうる。この場合に、テープ７９０は、バックライトユニット７７０とウィンドウ７３０の間に具備されるテープ７９０が表示部７５０とウィンドウ７３０の間にさらに延長された一体型で設けられることもでき、分離型で設けられることもできる。
【００５７】
以上説明した各表示素子７００の変形例は、いずれもウィンドウ７３０と表示部７５０の間に間隙ｇ７、ｇ７’を有しており、この間隙ｇ７、ｇ７’は、図２に示されるような従来の構造の表示素子１００での間隙ｇ１よりさらに小さな値であるので、表示素子７００の薄型化が可能であり、ウィンドウ７３０とバックライトユニット７７０のハウジング手段、またはバックライトユニット７７０のハウジング手段及び表示部７５０をテープ７９０によって接着させて組立てることができるので、この接合空間の確保が容易であり、従来の構造の表示素子１００に比べて簡単に組立てることができ、また、これによる諸コストを低減することができる。
【００５８】
図３ａないし図３ｄを参照すれば、バックライトユニット７７０のハウジング手段上には、所定の突出部７７２が具備され、この突出部７７２は表示部７５０が露出する方向、すなわち、表示部７５０と近接配置されるウィンドウ７３０の面に向けて形成され、バックライトユニット７７０にウィンドウ７３０を近接配置する際に、ウィンドウ７３０のガイドの役割を果す。
【００５９】
図５ａ及び図５ｂは、本発明の好ましい実施形態に係るウィンドウ組立体が具備された表示素子のバックライトユニットと突出部の多様な結合例を概略的に示す斜視図、図６ａ及び図６ｂは、それぞれ図５ａ及び図５ｂのバックライトユニットと突出部の結合形態を概略的に示す部分斜視図である。
【００６０】
バックライトユニット７７０の前記ハウジング手段に具備される所定の突出部７７２は、図５ａ及び図６ａに示されるように、バックライトユニット７７０のウィンドウ７３０と近接配置される面上に構成されることができ、図５ｂ及び図６ｂに示されるように、バックライトユニット７７０のウィンドウ７３０と近接配置される面に対してその最外周上に接して構成されることもできる。
【００６１】
このような突出部７７２は、バックライトユニット７７０のハウジング手段と一体型で備えられることもでき、公知の結合方法によってバックライトユニット７７０のハウジング手段と結合されうる分離型で備えられることも可能であり、これらを複合した構成も可能である。
【００６２】
表示素子７００構造の剛性と生産歩留まりなどを考慮すれば、一体型が好ましいが、前記ハウジング手段の製作時の難易性や突出部７７２の不良時の入れ替えの容易性などを勘案すれば、場合によっては、分離型がさらに好ましい。
【００６３】
また、突出部７７２は長方形で構成されるバックライトユニット７７０のハウジング手段に対してその４個の稜角上に、稜角に接する二つの辺に沿って稜角を成しながら構成されることが、突出部７７２がバックライトユニット７７０にウィンドウ７３０を近接配置させる際のガイドの役割を果すという面から、好ましいと言える。
【００６４】
図７ａ及び７ｆは、本発明の好ましい実施形態に係るウィンドウ組立体が具備された表示素子のバックライトユニットと突出部の多様な結合例を概略的に示す部分平面図である。
【００６５】
バックライトユニット７７０のハウジング手段に具備される突出部７７２は、上述されたように、バックライトユニット７７０のウィンドウ７３０と近接配置される面上に構成されることもでき（図７ａ、図７ｃ及び図７ｄ参照）、バックライトユニット７７０のウィンドウ７３０と近接配置される面に対してその最外周上に接して構成されることもでき（図７ｂ、図７ｅ及び図７ｆ参照）、さらに、これらを複合した構成も可能である。
【００６６】
突出部７７２は、長方形のバックライトユニット７７０のハウジング手段に対し、一つの稜角とこれに接する他の一つの稜角の間の辺上に構成することもできるが（図７ｃ及び図７ｅ参照）、少なくとも一つ以上の稜角に具備されることが好ましく（図７ａ及び図７ｂ参照）、またこれらを複合した構成も可能である（図７ｄ及び図７ｆ参照）。
【００６７】
図８ａ及び図８ｂは、本発明の好ましい実施形態に係るウィンドウ組立体が具備された表示素子の突出部が構成されたバックライトユニットとウィンドウ部材との多様な結合例を概略的に示す斜視図である。
【００６８】
上述されたように構成されるバックライトユニット７７０のハウジング手段に具備された突出部７７２は、図８ａ及び図８ｂのように、ウィンドウ７３０がバックライトユニット７７０とこれに収納された表示部７５０に近接配置される際にガイドの役割を果すことにより、その組み立てを容易にする。
【００６９】
図８ａ及び図８ｂにおいて、接着手段７９０の図示は省略されているが、この構成は上述されたとおりである。ただし、突出部７７２がバックライトユニット７７０のウィンドウ７３０と近接配置される面上に構成される場合に、接着手段７９０がこの構成に対向して設けられることもありえる。
【００７０】
図８ａのように、突出部７７２がバックライトユニット７７０のウィンドウ７３０と近接配置される面上に構成される場合に、ウィンドウ７３０は突出部７７２に係合されるように沈降部７３７が形成されてなる。このような構成だけでなく、ウィンドウ７３０は、突出部７７２がバックライトユニット７７０のウィンドウ７３０と近接配置される面上に構成される他の構成、すなわち、図７ｃ及び図７ｄに示される構成に係合されるように沈降部７３７が形成されることができ、また、本明細書上に図示されていない他の構成のバックライトユニット７７０のウィンドウ７３０と近接配置される面上に具備された突出部７７２に係合される沈降部７３７を形成することができる。
【００７１】
突出部７７２がバックライトユニット７７０のウィンドウ７３０と近接配置される面に対してその最外周上に接して構成される場合においては、図８ｂに示されるように、ウィンドウ７３０は上述された図８ａのような沈降部７３７が形成されない状態で、バックライトユニット７７０とこれに収納された表示部７５０に近接配置可能であり、これはバックライトユニット７７０のウィンドウ７３０と近接配置される面に対して、その最外周上に接して具備される突出部７７２の他の構成においても同様である。
【００７２】
以下、本発明の好ましい実施形態に係るウィンドウ組立体が具備された表示素子を含む携帯用端末を添付された図面を参照して詳しく説明する。
【００７３】
図９は、本発明の好ましい実施形態に係るウィンドウ組立体が具備された表示素子を含む携帯用端末を示す外観斜視図である。
【００７４】
本発明の好ましい実施形態に係るウィンドウ組立体が具備された表示素子を含む携帯用端末７は、上述された本発明の好ましい実施形態に係るウィンドウ組立体が具備された表示素子７００、この表示素子７００に表示信号を入力するために構成される入力部８００、及びこの入力部８００の入力信号及び前記表示素子の表示信号を制御する制御部（図示せず）を含んでなる。
【００７５】
図９を参照すれば、表示素子７００は、ウィンドウ７３０と表示部７５０の間の間隙（ｇ７またはｇ７’）を有する表示素子７００を備え、この表示素子７００に表示信号を入力するための入力部８００が備えられる。この入力部８００は、通常の入力部８００であり、使用者の手作業によるキーパッド、音声による音声認識部、通信信号による受信部、端末７に付着されるカメラによる光入射認識部及びそれ以外の通常的に入力信号が発生可能な部材を含む。
【００７６】
また、端末７には、入力部８００の入力信号及び表示素子７００の表示信号を制御するために、通常の制御部が構成される。
【００７７】
このように構成された端末７は、図９に示された形状にすることもできるが、これ以外の表示素子７００、入力部８００及び制御部を具備する他の形状にすることもでき、表示素子７００でのウィンドウ７３０と表示部７５０の間の間隙（ｇ７またはｇ７’）によって端末７の厚さｔ７が、より正確には、端末７で表示素子７００として構成される部位の厚さｔ７が、図１に示される従来の端末１での厚さｔ１に比べて薄型化することができる。
【００７８】
以上添付した図面を参照して本発明について詳細に説明したが、これは例示的なものに過ぎず、当該技術分野における通常の知識を有する者であれば、多様な変形及び均等な他の実施形態が可能であるということを理解することができる。
【図面の簡単な説明】
【００７９】
【図１】従来の携帯用端末を示す外観斜視図である。
【図２】図１の表示素子の一部を概略的に示す断面図である。
【図３ａ】本発明の好ましい実施形態に係るウィンドウ組立体が具備された表示素子の他の変形例を概略的に示す部分断面図である。
【図３ｂ】本発明の好ましい実施形態に係るウィンドウ組立体が具備された表示素子の他の変形例を概略的に示す部分断面図である。
【図３ｃ】本発明の好ましい実施形態に係るウィンドウ組立体が具備された表示素子の他の変形例を概略的に示す部分断面図である。
【図３ｄ】本発明の好ましい実施形態に係るウィンドウ組立体が具備された表示素子の他の変形例を概略的に示す部分断面図である。
【図４ａ】本発明の好ましい実施形態に係るウィンドウ組立体が具備された表示素子で表示部及びバックライトユニット上に具備される接着手段の変形例を概略的に示す部分平面図である。
【図４ｂ】本発明の好ましい実施形態に係るウィンドウ組立体が具備された表示素子で表示部及びバックライトユニット上に具備される接着手段の変形例を概略的に示す部分平面図である。
【図４ｃ】本発明の好ましい実施形態に係るウィンドウ組立体が具備された表示素子で表示部及びバックライトユニット上に具備される接着手段の変形例を概略的に示す部分平面図である。
【図４ｄ】本発明の好ましい実施形態に係るウィンドウ組立体が具備された表示素子で表示部及びバックライトユニット上に具備される接着手段の変形例を概略的に示す部分平面図である。
【図４ｅ】本発明の好ましい実施形態に係るウィンドウ組立体が具備された表示素子で表示部及びバックライトユニット上に具備される接着手段の変形例を概略的に示す部分平面図である。
【図４ｆ】本発明の好ましい実施形態に係るウィンドウ組立体が具備された表示素子で表示部及びバックライトユニット上に具備される接着手段の変形例を概略的に示す部分平面図である。
【図４ｇ】本発明の好ましい実施形態に係るウィンドウ組立体が具備された表示素子で表示部及びバックライトユニット上に具備される接着手段の変形例を概略的に示す部分平面図である。
【図４ｈ】本発明の好ましい実施形態に係るウィンドウ組立体が具備された表示素子で表示部及びバックライトユニット上に具備される接着手段の変形例を概略的に示す部分平面図である。
【図５ａ】本発明の好ましい実施形態に係るウィンドウ組立体が具備された表示素子のバックライトユニットと突出部の結合例を概略的に示す斜視図である。
【図５ｂ】本発明の好ましい実施形態に係るウィンドウ組立体が具備された表示素子のバックライトユニットと突出部の結合例を概略的に示す斜視図である。
【図６ａ】図５ａのバックライトユニットと突出部の結合形態を概略的に示す部分斜視図である。
【図６ｂ】図５ｂのバックライトユニットと突出部の結合形態を概略的に示す部分斜視図である。
【図７ａ】本発明の好ましい実施形態に係るウィンドウ組立体が具備された表示素子のバックライトユニットと突出部の結合例を概略的に示す部分平面図である。
【図７ｂ】本発明の好ましい実施形態に係るウィンドウ組立体が具備された表示素子のバックライトユニットと突出部の結合例を概略的に示す部分平面図である。
【図７ｃ】本発明の好ましい実施形態に係るウィンドウ組立体が具備された表示素子のバックライトユニットと突出部の結合例を概略的に示す部分平面図である。
【図７ｄ】本発明の好ましい実施形態に係るウィンドウ組立体が具備された表示素子のバックライトユニットと突出部の結合例を概略的に示す部分平面図である。
【図７ｅ】本発明の好ましい実施形態に係るウィンドウ組立体が具備された表示素子のバックライトユニットと突出部の結合例を概略的に示す部分平面図である。
【図７ｆ】本発明の好ましい実施形態に係るウィンドウ組立体が具備された表示素子のバックライトユニットと突出部の結合例を概略的に示す部分平面図である。
【図８ａ】本発明の好ましい実施形態に係るウィンドウ組立体が具備された表示素子の突出部が構成されたバックライトユニットとウィンドウ部材との多様な結合例を概略的に示す斜視図である。
【図８ｂ】本発明の好ましい実施形態に係るウィンドウ組立体が具備された表示素子の突出部が構成されたバックライトユニットとウィンドウ部材との多様な結合例を概略的に示す斜視図である。
【図９】本発明の好ましい実施形態に係るウィンドウ組立体が具備された表示素子を含む携帯用端末を示す外観斜視図である。
【符号の説明】
【００８０】
１、７    携帯用端末、
１００、７００    表示素子部、
１１０、７１０    ケース、
１３０、７３０    ウィンドウ、
１５０、７５０    表示部、
１７０、７７０    バックライトユニット、
７７２    突出部、
９０、７９０    テープ。
【図１】
0004714100.tif 000002
【図２】
0004714100.tif 000003
【図３ａ】
0004714100.tif 000004
【図３ｂ】
0004714100.tif 000005
【図３ｃ】
0004714100.tif 000006
【図３ｄ】
0004714100.tif 000007
【図４ａ】
0004714100.tif 000008
【図４ｂ】
0004714100.tif 000009
【図４ｃ】
0004714100.tif 000010
【図４ｄ】
0004714100.tif 000011
【図４ｅ】
0004714100.tif 000012
【図４ｆ】
0004714100.tif 000013
【図４ｇ】
0004714100.tif 000014
【図４ｈ】
0004714100.tif 000015
【図５ａ】
0004714100.tif 000016
【図５ｂ】
0004714100.tif 000017
【図６ａ】
0004714100.tif 000018
【図６ｂ】
0004714100.tif 000019
【図７ａ】
0004714100.tif 000020
【図７ｂ】
0004714100.tif 000021
【図７ｃ】
0004714100.tif 000022
【図７ｄ】
0004714100.tif 000023
【図７ｅ】
0004714100.tif 000024
【図７ｆ】
0004714100.tif 000025
【図８ａ】
0004714100.tif 000026
【図８ｂ】
0004714100.tif 000027
【図９】
0004714100.tif 000028